(57)【要約】【課題】通水路の開閉動作を片手で操作性よく行えるうえ、簡素かつ安価な構成であって誤動作のないハンドルコックが望まれている。【解決手段】ハンドルコック１は、内部に通水路２が形成された把手部３と、把手部３に対し近接離間するように把手部３に揺動自由に枢支されたハンドル５と、ハンドル５を把手部３から離間揺動させる方向（矢印Ｒ）に常時付勢する第１付勢部材１３と、通水路２の途中に設けられた止水用の弁座９と、ハンドル５と連結されてハンドル５の揺動により弁座９を開閉する弁体１１とを有するハンドルコックにおいて、把手部３に把手側係合部３０を設け、把手部３およびハンドル５を握った片手の指が届くハンドル５の位置に、把手側係合部３０と係脱自在に係止されるハンドル側係合体３２を回動自在に枢支し、ハンドル側係合体３２を把手側係合部３０から離脱させる方向に常時付勢する第２付勢部材３８をハンドル側係合体３２に設けたものである。【選択図】図３
0003162648.tif 000002
【実用新案登録請求の範囲】
【請求項１】
内部に通水路が形成された把手部と、把手部に対し近接離間するように把手部に揺動自由に枢支されたハンドルと、ハンドルを把手部から離間揺動させる方向に常時付勢する第１付勢部材と、通水路の途中に設けられた止水用の弁座と、ハンドルと連結されてハンドルの揺動により弁座を開閉する弁体とを有するハンドルコックにおいて、把手部に把手側係合部を設け、把手部およびハンドルを握った片手の指が届くハンドルの位置に、把手側係合部と係脱自在に係止されるハンドル側係合体を回動自在に枢支し、ハンドル側係合体を把手側係合部から離脱させる方向に常時付勢する第２付勢部材をハンドル側係合体に設けたことを特徴とするハンドルコック。
【考案の詳細な説明】
【技術分野】
【０００１】
本考案は、例えば噴霧器などに接続されて通水路を開閉するハンドルコックに関するものである。
【背景技術】
【０００２】
従来、この種のハンドルコックを図７示す。図７に示したハンドルコック６１では、把手部３内に、前後の接続管６，７と連通して途中に弁座を有する通水路が形成されている。ハンドル５はその後部が把手部３に対し近接離間するように把手部３の下面に枢支ピン４を介して枢支されている。そして、枢支ピン４前方位置のハンドル５に弁棒１２の下端が連結されていて、弁棒１２の上端は弁座を開閉する弁体となっている。弁棒１２はバネ部材が装着されていてハンドル５の後部を把手部３から離間揺動させる方向に常時付勢されている。ハンドル５前端の左右には軸孔６１，６１が穿設されていて、これら左右の軸孔６１，６１にロックピン６２の末端６３，６３が枢支され、ロックピン６２が前後揺動自在となっている。把手部３の下面前端にはロックピン６２の先端を係止するための係止溝６４が形成されている。
【０００３】
上記したハンドルコック６１において、通水路を開いた状態に保持する際には、一方の手でハンドル５を握り、他方の手でロックピン６２の先端を係止溝６４に係止させたのち一方の手の握り力を弛めることにより、弁座を開いた状態にロックできるようになっている。そうして、一方の手でハンドル５を握り、他方の手でロックピン６２を前方に揺動させて係止溝６４から離脱させることにより、通水路のロック状態が解除されるようになっている。
【先行技術文献】
【特許文献】
【０００４】
【特許文献１】特開２００２−１９５４５３号公報
【考案の概要】
【考案が解決しようとする課題】
【０００５】
ところで、上記したハンドルコック６１を例えば手動蓄圧式の背負い型噴霧器などに使用する場合、他方の手は専ら噴霧器の蓄圧ハンドルの操作に使いたい。しかしながら、上記ハンドルコック６１はロックピン６２の操作時に両手を使わざるを得ないので、ロックとロック解除のたびに蓄圧ハンドルから手を離さざるを得ず、操作性および作業性が悪かった。
【０００６】
そこで、片手で操作性よく通水路の開閉動作を行なえるハンドルコックが開発され、上記の特許文献１に記載されている。文献１記載のハンドルコックは、把手部の側面に形成した周回溝内にロックピンの先端を収容し、片手でハンドルを握ったり緩めたりする操作によってピン先端を周回溝内で一方向に周回移動させ、通水路の開閉動作を操作性よく行なえるようになっている。
しかしながら、文献１記載のハンドルコックでは、複雑な溝形状を有する周回溝を作製しなければならないために製造コストが高くつく。また、周回溝内をロックピンの先端が繰り返し摺動するので、例えば安くつく合成樹脂を使用した場合は例え硬質樹脂であっても経時使用により周回溝が摩耗しやすく、これにより弁体の開閉に誤動作を生じやすくなるという問題があった。
【０００７】
本考案は、上記した従来の問題点に鑑みてなされたものであって、通水路の開閉動作を片手で操作性よく行えるうえ、簡素かつ安価な構成であって誤動作のないハンドルコックの提供を目的とする。
【課題を解決するための手段】
【０００８】
上記目的を達成するために、本考案に係るハンドルコックは、内部に通水路が形成された把手部と、把手部に対し近接離間するように把手部に揺動自由に枢支されたハンドルと、ハンドルを把手部から離間揺動させる方向に常時付勢する第１付勢部材と、通水路の途中に設けられた止水用の弁座と、ハンドルと連結されてハンドルの揺動により弁座を開閉する弁体とを有するハンドルコックにおいて、把手部に把手側係合部を設け、把手部およびハンドルを握った片手の指が届くハンドルの位置に、把手側係合部と係脱自在に係止されるハンドル側係合体を回動自在に枢支し、ハンドル側係合体を把手側係合部から離脱させる方向に常時付勢する第２付勢部材をハンドル側係合体に設けたものである。
【考案の効果】
【０００９】
本考案に係るハンドルコックによれば、片手でハンドルを握ったり弛めたりする動作だけで、通水路の開閉動作を操作性よく行うことができる。これにより、他方の手が自由になるから、他方の手を別の作業に専ら用いることができる。また、把手部およびハンドルを握った片手の指が届くハンドルの位置にハンドル側係合体が配備されているので、把手部およびハンドルを握った同じ手の指でハンドル側係合体を操作してハンドルロックを行なうことができる。因みに、ハンドル側係合体を操作しない場合は、ハンドルがロックされないため、スポット散布と連続散布を容易に行なうことができる。加えて、このハンドル側係合体は、指で押せればよい程度の簡素な構成であり安価に提供される。更に、ハンドル側係合体は経時使用による摩耗が少ないから長寿命であり、誤動作を引き起こすおそれもない。
【図面の簡単な説明】
【００１０】
【図１】本考案の一実施形態に係るハンドルコックを斜め前下方から見上げた外観図である。
【図２】前記ハンドルコックの一部破断した側面図である。
【図３】前記ハンドルコックの側断面図である。
【図４】前記ハンドルコックの分解斜視図である。
【図５】前記ハンドルコックの開弁状態を示す一部破断した側面図である。
【図６】前記ハンドルコックの開弁状態を示す側断面図である。
【図７】従来のハンドルコックの側面図である。
【考案を実施するための形態】
【００１１】
本考案の実施形態を図面に基づいて説明する。尚、以下に述べる実施形態は本考案を具体化した一例に過ぎず、本考案の技術的範囲を限定するものでない。図１は本考案の一実施形態に係るハンドルコックを斜め前下方から見上げた外観図、図２は前記ハンドルコックの一部破断した側面図、図３は前記ハンドルコックの側断面図、図４は前記ハンドルコックの分解斜視図である。
各図において、この実施形態に係るハンドルコック１は、前後に貫通する通水路２が内部に形成された把手部３と、把手部３の下面に対し近接離間するように枢支ピン４を介して把手部３に枢支されたハンドル５とを備えている。通水路２は側面から見て曲折したクランク状に形成されている。通水路２の曲折部分には、弁座開口８を有する止水用の弁座９が配備されている。
【００１２】
前記した把手部３の前端には通水路２と連通する接続管６が取り付けられている。接続管６は例えば噴霧ノズル（図示省略）とつながっている。把手部３の後端には通水路２と連通する接続管７が取り付けられている。接続管７は例えば薬液圧送ポンプ（図示省略）とつながっている。弁座９の下方位置には、通水路２から分岐して枢支ピン４前方の把手部３の下面に開口する弁棒収容空間１０が形成されている。この弁棒収容空間１０には、弁座９を開閉する弁体１１を上端に有する弁棒１２が上下移動自在に収容されている。そして、コイルバネなどからなる第１付勢部材１３、板状リング２３、弁棒収容空間１０を水封するためのＯリング１４，１５が嵌着されたブッシュ１６、および押え蓋１７が弁棒１２に装着されたのち、雄ネジ部２４に螺止されるキャップ１８によって弁棒収容空間１０が封止される。
【００１３】
弁棒１２の下部は、ハンドル５の前部に上下貫通して形成された縦孔１９に遊動自由に挿通される。そして、弁棒１２の下端にスライダ２０が挿通され止め輪２１で抜け止め固定されている。この場合、スライダ２０は縦孔１９の下縁の受け面２２で前後移動自由に支持される。これにより、弁棒１２はスライダ２０を介してハンドル５と連結され、ハンドル５の上下揺動により弁座９を開閉する。そして、第１付勢部材１３はハンドル５の遊動端側（後端側）を把手部３から離す方向（矢印Ｒ方向）、すなわち弁体１１が弁座９を閉める方向（矢印Ｆ方向）に常時付勢している。弁棒収容空間１０の下端開口部の外周面には、キャップ１８内周の雌ネジ部と螺合する雄ネジ部２４が形成されている。雄ネジ部２４後方位置の把手部３下面には垂下部２５が垂設されている。この垂下部２５には、左右方向に貫通する軸穴２６が穿設されている。垂下部２５の左右中央部には、把手側係合部３０が後向きに突出して設けられている。
【００１４】
ハンドル５は左右１対の側板部２７，２７を備えて成り、後部の上面は開口している。側板部２７，２７にはそれぞれ左右方向に貫通する軸穴２８，２８が穿設されている。軸穴２８近傍位置の側板部２７，２７間は、後述するハンドル側係合体３２が移動自在に入り込むとともに、ハンドル５を把手部３の所定位置に装着したときにハンドル５の把手側係合部３０が移動自在に入り込む、収容空間２９となっている。側板部２７，２７における軸穴２８，２８の下方位置には、それぞれ軸穴３１，３１が穿設されている。軸穴２８の後方位置における側板部２７，２７間にはリブ部４０が形成されている。このリブ部４０はハンドル側係合体３２の係止部３５を当接させてハンドル側係合体３２の揺動を規制する。ハンドル５における縦穴１９後方の壁部は、後述する第２付勢部材３８のバネ端を止める係止部４２となっている。
【００１５】
ハンドル側係合体３２は左右１対の側板部３３，３３を備えて成り、上面が開口している。側板部３３，３３にはそれぞれ左右方向に貫通する軸穴３６，３６が穿設されている。軸穴３６の後方の側板部３３，３３間は、ハンドル側係合体３２が回動したときにハンドル５の把手側係合部３０が移動自在に入り込む収容空間３４となっている。この収容空間３４を挟む側板部３３，３３間が連結されて係止部３５を構成している。そして、一方の側板部３３の内面における係止部３５の下方位置に、係止ピン４１が突設されている。
前記したハンドル側係合体３２は例えば捻りバネである第２付勢部材３８と共にハンドル５の収容空間２９内に装入されたのち、ハンドル５の一方の軸穴３１を通された枢支ピン３７が軸穴３６，３６および他方の軸案３１を一連に通される。これにより、ハンドル側係合体３２がハンドル５に前後揺動自在に枢支される。このとき、第２付勢部材３８は、その一端がハンドル５の係止部４２に係止され他端が係止ピン４１に係止されることにより、ハンドル側係合体３２の後部下端の部位３９部位をハンドル５の下面から突出させる方向（矢印Ｒ方向）に付勢する。因みに、ハンドル側係合体３２は、把手部３およびハンドル５を握った片手のいずれかの指が届く位置のハンドル５に配置されている。尚、ハンドル側係合体３２を矢印Ｒと反対方向に付勢するように第２付勢部材３８を取り付けた場合、ハンドル５を握ったときにハンドル側係合体３２が把手側係合部３０と係合してロックされてしまうため、スポット散布ができなくなる。
【００１６】
上記のように構成されたハンドルコック１の動作を説明する。作業者がハンドル５を握っていないときは、図１〜図３に示したハンドルコック１のように、第１付勢部材１３の付勢力によりハンドル５の後部が把手部３から大きく離れて弁座９の弁座開口８が閉止された状態となっている。このとき、ハンドル側係合体３２は第２付勢部材３８の付勢力によって後側の部位３９がハンドル５の下面から突出している。
そこで、作業者がハンドル５の後部を握って把手部３に近接させると、弁座９の弁座開口８が開く。この状態のまま、ハンドル５を握っている手の例えば人差指で係止部３５の部位３９を押し込んでハンドル側係合体３２を矢印Ｒの反対方向に回すと、ハンドル側係合体３２の収容空間３４内に把手部３の把手側係合部３０が入り込み、係止部３５が把手側係合部３０に係止される。
【００１７】
その後、作業者がハンドル５の握り力を弛めると、ハンドル５の後部は第１付勢部材１３の付勢力により把手部３から離れる方向（矢印Ｒ方向）に戻ろうとする。しかしながら、図５および図６に示すように、ハンドル側係合体３２の係止部３５は、把手部３の把手側係合部３０に係止されているので、ハンドル５はその位置に留まり把手部３からそれ以上離れない。すなわち、ハンドル５は弁座９の弁座開口８が十分に開いている状態でロックされる。このようなロック状態で噴霧ノズルなどからの噴霧作業が行われる。
【００１８】
そうして、止水する際は、前記のロック状態からハンドル５の後部を握るとよい。これにより、把手部３の把手側係合部３０とハンドル側係合体３２の係止部３５の係止状態が解かれ、ハンドル側係合体３２は自動的に第２付勢部材３８の付勢力によって矢印Ｒ方向に回動する。その結果、ハンドル側係合体３２の係止部３５が把手側係合部３０から離脱し、ハンドル５のロック状態が解除される。そして、ハンドル５の握り力を弛めると、第１付勢部材１３の付勢力によりハンドル５の後部が把手部３から離れ、弁体１１が弁座９の弁座開口８を閉止して通水路２を遮断する。すなわち、ハンドル側係合体３２は、係止部３５が把手側係合部３０に係止された位置と、係止部３５が把手側係合部３０から離脱した位置との間で揺動自在となるように枢支ピン３７を介してハンドル５に枢支されている。
【００１９】
上述したように、この実施形態のハンドルコック１は、把手部３およびハンドル５を片手で持ち、ハンドル５の後部を握ったり弛めたりする一連の動作により、通水路２の開閉動作を繰り返し行うことができて操作性がよい。このようにハンドルコック１の操作を片手で行えるので、常に他方の手が自由になる。従って、他方の手を別の作業に専ら用いることができるから、別の作業の邪魔をしたり中断させたりしない。また、把手部３およびハンドル５を握った片手の指が届くハンドル５の位置に、ハンドル側係合体３２が配備されているので、ハンドルロックの際に行なわれる、ハンドル側係合体３２の部位３９を指で押し込む操作も把手部３およびハンドル５を握った同じ手の指で行なうことができる。そして、このハンドル側係合体３２は、指で押し込めればよい程度の簡素な構成であり安価に提供される。更に、ハンドル側係合体３２は、従来技術のようにロックピンの先端が溝上を常に摺動しているといったことがなく経時使用による摩耗も極めて少ないから長寿命であり、誤動作を引き起こすおそれもない。
【符号の説明】
【００２０】
１    ハンドルコック
２    通水路
３    把手部
４    枢支ピン
５    ハンドル
８    弁座開口
９    弁座
１１  弁体
１２  弁棒
１３  第１付勢部材
３０  把手側係合部
３２  ハンドル側係合体
３５  係止部
３７  枢支ピン
３８  第２付勢部材
Ｒ  矢印
Ｆ  矢印
【図１】
0003162648.tif 000003
【図２】
0003162648.tif 000004
【図３】
0003162648.tif 000005
【図４】
0003162648.tif 000006
【図５】
0003162648.tif 000007
【図６】
0003162648.tif 000008
【図７】
0003162648.tif 000009